(57)【要約】【課題】再生利用可能な素材でありながらも、外装箱内で被梱包物を適切に保持するとともに被梱包物への衝撃を吸収・分散させることができる緩衝部材を提供する。【解決手段】直方体の被梱包物１００を外装箱２００に梱包する際に、当該被梱包物１００を外装箱２００内において保持することができる緩衝部材１であって、被梱包物１００が緩衝部材１の上面部１０に載置されたときに、被梱包物１００の両側面を挟み込むように、上面部１０がＹ方向に沿って屈曲する。【選択図】図４
2013035581.tif 000002
【特許請求の範囲】
【請求項１】
直方体の被梱包物をダンボール箱に梱包する際に、当該被梱包物を段ボール箱内において保持することができる緩衝部材であって、
前記被梱包物の幅方向、奥行方向および高さ方向のうち、特定の一の方向をＸ方向、当該Ｘ方向が左右方向となるように見た場合に、前記被梱包物の幅方向、奥行方向および高さ方向のうち前記特定の一の方向とは異なる二つの方向を、それぞれ、Ｙ方向およびＺ方向とした場合において、
前記緩衝部材は、前記Ｘ方向が左右方向となる方向に見た場合に、四角形の筒状のものであり、
前記Ｙ方向に沿って屈曲させることができる第１屈曲部と第２屈曲部とを有し、これら第１屈曲部及び第２屈曲部のいずれもが屈曲していない状態で、前記Ｘ方向と前記Ｙ方向とを含むＸＹ面に沿った面となる上面部と、
前記上面部の前記Ｙ方向に沿った両端部のうち一端部から前記ＸＹ面に交差し且つ下方向に延びる第１側面部と、
前記上面部の前記Ｙ方向に沿った両端部のうち前記一端部とは反対側の他端部から前記ＸＹ面に交差し且つ下方向に延びる第２側面部と、
前記上面部と前記第１側面部と前記第２側面部との間で前記四角形の筒状を形成し、前記Ｘ方向と前記Ｙ方向とを含むＸＹ面に沿った下面部と、
を備え、
前記第１屈曲部は、前記一端部と前記上面部の幅方向の中心部との間において前記Ｙ方向に沿っているとともに、
前記第２屈曲部は、前記他端部と前記上面部の幅方向の中心部との間において前記Ｙ方向に沿っており、
前記被梱包物の幅方向が前記第１屈曲部と前記第２の屈曲部との間に位置するように、当該被梱包物が前記上面部に載置されたときに、
前記一端部と前記第１屈曲部との間の第１上面部、および、前記他端部と前記第２屈曲部との間の第２上面部が、それぞれ、前記被梱包物を挟み込むように前記第１屈曲部と前記第２屈曲部とで屈曲する
ことを特徴とする緩衝部材。
【請求項２】
前記被梱包物が前記上面部に載置されたときに、当該被梱包物が前記緩衝部材の前記第１上面部と前記第２上面部とによって挟み込まれた状態において、
前記第１上面部と前記第２上面部との間の第３上面部と、前記下面部との間に、所定の空間が形成される
ことを特徴とする請求項１に記載の緩衝部材。
【発明の詳細な説明】
【技術分野】
【０００１】
本発明は、製品を外装箱内に収納する際の緩衝部材に関するものである。
【背景技術】
【０００２】
被梱包物（例えば個装箱に包まれたエアーフィルター）は、例えばダンボールなどの外装箱に収納されたのち、さまざまな輸送手段（例えば、トラックや航空機または船舶等）で搬送されることが一般的である。この場合、搬送中の振動による外部衝撃や、外装箱を段積みした際の荷重により、外装箱だけでなく中身の被梱包物をも損傷を受けるおそれがある。このような損傷から被梱包物を保護するために、従来から被梱包物を梱包する際に、外装箱と被梱包物との隙間に緩衝材を詰めたりすることが一般的に行われている。
【０００３】
上記の緩衝材の素材としては、例えば、発泡ポリエチレン、発泡ポリスチレン、発泡ウレタンなどの合成樹脂素材からなるものが挙げられる（特許文献１参照）。このような緩衝材を用いると、搬送中における外部からの衝撃や荷重をこれらの緩衝材が吸収したり、分散を促したりすることで、被梱包物を保護することができる。
【０００４】
しかし、上記の発泡ポリエチレン、発泡ポリスチレン、発泡ウレタンなどの合成樹脂は石油製品であり、放置しても腐食せず、また焼却すれば黒煙や異臭などが生ずるおそれがあり、使用した後、適切に処理し難い。また、合成樹脂素材がダンボールなどに貼り付けて用いられていた場合は、分別収集が困難になる。このようなことから、再生利用が可能な素材からなる緩衝材として用いるものが提案されている（特許文献２参照）。
【先行技術文献】
【特許文献】
【０００５】
【特許文献１】実用新案登録第３０８０６５２号
【特許文献２】特開平７−３３００３５号公報
【発明の概要】
【発明が解決しようとする課題】
【０００６】
しかし、上記特許文献２のような緩衝材では、特許文献１で用いられていたような発泡スチロールのような弾力性がないため、当該緩衝材が受けた衝撃を好適に吸収・分散させることが困難であるといった課題がある。
【０００７】
本発明の目的は、このような問題に鑑みてなされたものであり、再生利用可能な素材でありながらも、外装箱内で被梱包物を適切に保持するとともに被梱包物への衝撃を吸収・分散させることができる緩衝部材を提供することにある。
【課題を解決するための手段】
【０００８】
（１）本発明の緩衝部材は、直方体の被梱包物をダンボール箱に梱包する際に、当該被梱包物を段ボール箱内において保持することができる緩衝部材であって、前記被梱包物の幅方向、奥行方向および高さ方向のうち、特定の一の方向をＸ方向、当該Ｘ方向が左右方向となるように見た場合に、前記被梱包物の幅方向、奥行方向および高さ方向のうち前記特定の一の方向とは異なる二つの方向を、それぞれ、Ｙ方向およびＺ方向とした場合において、前記緩衝部材は、前記Ｘ方向が左右方向となる方向に見た場合に、四角形の筒状のものであり、前記Ｙ方向に沿って屈曲させることができる第１屈曲部と第２屈曲部とを有し、これら第１屈曲部及び第２屈曲部のいずれもが屈曲していない状態で、前記Ｘ方向と前記Ｙ方向とを含むＸＹ面に沿った面となる上面部と、前記上面部の前記Ｙ方向に沿った両端部のうち一端部から前記ＸＹ面に交差し且つ下方向に延びる第１側面部と、前記上面部の前記Ｙ方向に沿った両端部のうち前記一端部とは反対側の他端部から前記ＸＹ面に交差し且つ下方向に延びる第２側面部と、前記上面部と前記第１側面部と前記第２側面部との間で前記四角形の筒状を形成し、前記Ｘ方向と前記Ｙ方向とを含むＸＹ面に沿った下面部と、を備え、前記第１屈曲部は、前記一端部と前記上面部の幅方向の中心部との間において前記Ｙ方向に沿っているとともに、前記第２屈曲部は、前記他端部と前記上面部の幅方向の中心部との間において前記Ｙ方向に沿っており、前記被梱包物の幅方向が前記第１屈曲部と前記第２の屈曲部との間に位置するように、当該被梱包物が前記上面部に載置されたときに、前記一端部と前記第１屈曲部との間の第１上面部、および、前記他端部と前記第２屈曲部との間の第２上面部が、それぞれ、前記被梱包物を挟み込むように前記第１屈曲部と前記第２屈曲部とで屈曲することを特徴とするものである。
【０００９】
上記（１）に記載の本発明にかかる緩衝部材によれば、被梱包物の幅方向が第１屈曲部と第２の屈曲部との間に位置するように、当該被梱包物が緩衝部材の上面部に載置されたときに、上面部のＹ方向に沿った一端部と第１屈曲部との間の第１上面部、および、上面部のうちＹ方向に沿った他端部と第２屈曲部との間の第２上面部が、それぞれ、被梱包物を挟み込むように、第１屈曲部と第２屈曲部とで屈曲する。これにより、再生利用可能な素材から構成されるものでありながらも、被梱包物を外装箱内で適切に保持できるとともに、Ｘ方向から受ける衝撃を吸収・分散することで緩和することが可能となる。
【００１０】
（２）また、本発明の緩衝部材は、上記（１）において、前記被梱包物が前記上面部に載置されたときに、当該被梱包物が前記緩衝部材の前記第１上面部と前記第２上面部とによって挟み込まれた状態において、前記第１上面部と前記第２上面部との間の第３上面部と、前記下面部との間に、所定の空間が形成されることが好ましい。
【００１１】
上記（２）に記載の本発明にかかる緩衝部材によれば、被梱包物が上面部に載置されたときに、当該被梱包物が緩衝部材の第１上面部と第２上面部とによって挟み込まれた保持状態において、第３上面部と下面部との間に所定の空間が形成される。すなわち、外装箱内において緩衝部材によって保持された被梱包物は、ゆりかご状に保持されることとなるので、緩衝部材が再生利用可能な材料で構成されながらも、外装箱内で被梱包物を適切に保持するとともに、Ｘ方向だけでなくＺ方向から加えられた揺れや衝撃を吸収・分散させることができる。
【発明の効果】
【００１２】
本発明の緩衝部材によれば、再生利用可能な素材でありながらも、外装箱内で被梱包物を適切に保持するとともに被梱包物への衝撃を吸収・分散させることができる。
【図面の簡単な説明】
【００１３】
【図１】被梱包物１００の斜視図である。
【図２】（Ａ）は本発明の緩衝部材を構成するのに用いる、一枚状のダンボールを示す図であり、（Ｂ）は（Ａ）のダンボールをａ１、ａ２、ａ３で略９０度で折り曲げることによって略四角形の筒状に形成した緩衝部材１の斜視図である。
【図３】（Ａ）は、個装箱に収納された被梱包物１００を、あらかじめ外装箱２００内に設置された緩衝部材１に載置し始めた初期状態の図であり、（Ｂ）は、緩衝部材１に載置された被梱包物１００をさらにＺ方向（紙面下方）に押しこんだり、被梱包物１００が自重によりＺ方向（紙面下方）に沈んだことによって、緩衝部材１に保持されたときの保持状態の図である。
【図４】（Ａ）は、本実施形態の緩衝部材１を、被梱包物１００の上部と下部との両方に使用する場合の分解斜視図（外装箱２００の図示は省略）であり、（Ｂ）は、被梱包物１００が緩衝部材１により外装箱２００内で保持された場合の斜視図である。
【発明を実施するための形態】
【００１４】
本実施形態の緩衝部材１は、例えば個装箱に収納されたエアーフィルター（例えば、空調機用エアーフィルター）のような略直方体の被梱包物１００を、例えばダンボールからなる外装箱２００に収納する際に、外装箱２００内で被梱包物を保持するものである（図２〜図４を参照）。
【００１５】
以下、本実施形態の緩衝部材１について、図面を参照しつつ説明する。なお、被梱包物１００は、個装箱に収納されているものに限られない。例えば、エアーフィルターなどの物品そのものや、簡易包装された物品であってもよい。
【００１６】
図１は、個装箱に収納された略直方体の被梱包物１００を示す図である。本明細書では、図１に示すように、被梱包物１００の幅方向、奥行方向および高さ方向のうち、最も辺が短い幅方向をＸ方向、当該Ｘ方向が左右方向となるように見た場合における、被梱包物１００の奥行方向をＹ方向および被梱包物１００の高さ方向をＺ方向とする。なお、上記の「幅方向」は本願発明の「特定の一の方向」に相当する。
【００１７】
緩衝部材１は、図２（Ａ）に示すような略長方形の一枚状のダンボールから構成される。そして、図２（Ａ）に示されるａ１、ａ２、ａ３で略９０度で折り曲げることによって、図２（Ｂ）に示されるように、Ｘ方向が左右方向となる方向に見た場合に略長方形の筒状となるように形成される。
【００１８】
本実施形態の緩衝部材１は、図２（Ｂ）に示されるように、上面部１０と、第１側面部３０と、第２側面部４０と、下面部２０とを有している。
【００１９】
上面部１０は、Ｘ方向とＹ方向とを含むＸＹ面に沿った面である。この上面部１０には、Ｙ方向に沿って谷折りができるように、第１屈曲部ｂ１及び第２屈曲部ｂ２を有している。なお、上記の「Ｘ方向とＹ方向とを含むＸＹ面に沿った面」とは、当然のことながら、第１屈曲部ｂ１及び第２屈曲部ｂ２のいずれもが屈曲していない状態でのことである。
【００２０】
第１屈曲部ｂ１は、上面部１０のＹ方向に沿った両端部１２Ｙ，１４Ｙのうち、一方の端部１２Ｙと、Ｘ方向における上面部１０の中心Ｏとの間に位置している。また、第２屈曲部ｂ２は、上面部１０のＹ方向に沿った両端部１２Ｙ，１４Ｙのうち、上記の一方の端部１２Ｙとは反対側の他方の端部１４Ｙと、Ｘ方向における上面部１０の中心Ｏとの間に位置している。なお、本明細書において、以下、上面部１０のうち、一方の端部１２Ｙから第１屈曲部ｂ１までの間を幅方向とする面を第１上面部１２と称し、他方の端部１４Ｙから第２屈曲部ｂ２までの間を幅方向とする面を第２上面部１４と称し、第１屈曲部ｂ１から第２屈曲部ｂ２までの間を幅方向とする面を第３上面部１６と称する。
【００２１】
第１側面部３０は、上面部１０のＹ方向に沿った両端部１２Ｙ，１４Ｙのうち一方の端部１２ＹからＺ方向（紙面下方）に折れ曲がって延びる面である。この第１側面部３０は、Ｙ方向とＺ方向とを含むＹＺ面に沿っている。
【００２２】
第２側面部４０は、上面部１０のＹ方向に沿った両端部１２Ｙ，１４Ｙのうち他方の端部１４ＹからＺ方向（紙面下方）に折れ曲がって延びる面である。この第２側面部４０は、Ｙ方向とＺ方向とを含むＹＺ面に沿っている。したがって、第１側面部３０及び第２側面部４０は、互いに略平行な面となり、上面部１０のＹ方向に沿った両端部１２Ｙ，１４Ｙのうち互いに異なる端部から同じ方向に折れ曲がって延びた面となる。
【００２３】
下面部２０は、Ｙ方向を横切る断面が略長方形となるように、上面部１０と第１側面部３０と第２側面部４０との間で、筒状を形成する面である。
【００２４】
なお、本実施形態においては、Ｙ方向を横切る断面が略長方形となる場合（すなわち、第１側面部３０及び第２側面部４０のいずれもが、Ｙ方向とＺ方向とを含むＹＺ面に沿った面となる場合）について説明しているが、これに限られない。Ｙ方向を横切る断面が少なくとも四角形である必要はあるものの、本実施形態の緩衝部材１により被梱包物１００の両サイドを「挟み込むことができる」ものである限り、例えば、上面部１０のＸ方向の長さを、下面部２０のＸ方向の長さよりも短くすることにより、Ｙ方向を横切る断面が略台形となるものや、上面部１０のＸ方向の長さを、下面部２０のＸ方向の長さよりも長くすることにより、Ｙ方向を横切る断面が略逆台形となるものであってもよい。この場合、第１側面部３０及び第２側面部４０は、いずれも、Ｘ方向とＹ方向とを含むＸＹ面に交差する面となる
【００２５】
また、本実施形態の緩衝部材１は、略長方形の一枚状のダンボールを折り曲げることによって構成されるが、必ずしも１枚状のダンボールを折り曲げて構成されるものに限られない。例えば、上面部１０と第１側面部３０とを別部材としてこれらを継ぎ合わせたもの、上面部１０と第２側面部４０とを別部材としてこれらを継ぎ合わせたもの、第１側面部３０又は／及び第２側面部４０と下面部２０とを別部材としてこれらを継ぎ合わせたものであってもよい。
【００２６】
次に、本実施形態の緩衝部材１の使用態様について、図３を参照しつつ説明する。図３（Ａ）は、個装箱に収納された被梱包物１００を、あらかじめ外装箱２００内に設置された緩衝部材１に載置し始めた初期状態の図である。また、図３（Ｂ）は、緩衝部材１に載置された被梱包物１００をさらにＺ方向（紙面下方）に押しこんだり、被梱包物１００が自重によりＺ方向（紙面下方）に沈んだことによって、緩衝部材１に保持されたときの保持状態の図である。
【００２７】
被梱包物１００は、図３（Ａ）に示されるように、幅方向、奥行方向および高さ方向のうち、最も辺が短い幅方向がＸ方向となるように、外装箱２００内に設置した緩衝部材１の第３上面部１６に載置される。このとき、第３上面部１６の幅方向の大きさ（Ｘ方向長さ）は、被梱包物１００の幅方向の大きさ（Ｘ方向長さ）と略同じであるかこれよりも大きい方が好ましい。第３上面部１６のＸ方向長さが、被梱包物１００のＸ方向長さよりも小さいと、被梱包物１００を緩衝部材の第３上面部１６に載置したときに、被梱包物１００の下面と第３上面部１６とが実質的に当接しないこととなり、被梱包物１００を緩衝部材１によって適切に保持できなくなるおそれがあるからである。
【００２８】
そして、図３（Ｂ）に示されるように、被梱包物１００の自重によりＺ方向（紙面下方）に沈んだり、又は、被梱包物１００がＺ方向（紙面下方）に押しこまれたりすると、被梱包物１００の側面部１０５，１０６が、それぞれ、緩衝部材１の第１上面部１２及び第２上面部１４と当接し、被梱包物１００が緩衝部材１の第１上面部１２及び第２上面部１４に挟み込まれることとなる。これにより、例えばダンボールといった再生利用可能な素材を用いながらも、被梱包物１００を外装箱２００内で適切に保持できるとともに、Ｘ方向から受ける衝撃を吸収・分散することで、Ｘ方向から受ける衝撃を緩和することが可能となる。
【００２９】
ところで、本実施形態の緩衝部材１は、さらに、図３（Ｂ）に示すように、被梱包物１００が緩衝部材１の第１上面部１２と第２上面部１４とによって挟み込まれた保持状態において、第３上面部１６と下面部２０との間に所定の空間が形成されるように構成されている。これにより、被梱包物１００は、Ｚ方向から受ける衝撃をも緩和されることとなる。しかも、このようにして外装箱２００内において緩衝部材１によって保持された被梱包物１００は、ゆりかご状に保持されることとなるので、外装箱２００に対して加えられた揺れや衝撃が被梱包物１００に直接伝わることを回避できる。
【００３０】
なお、被梱包物１００が外装箱２００内においてゆりかご状に保持されるための条件は、第３上面部１６のＸ方向長さと被梱包物１００のＸ方向長さとの関係等、緩衝部材１が使用される使用条件によっても異なるが、少なくとも、第１屈曲部ｂ１及び第２屈曲部ｂ２が屈曲されていない場合における上面部１０の一端部１２Ｙから第１屈曲部ｂ１までのＸ方向長さ（以下、単に「第１上面部１２のＸ方向長さ」と称する）Ｌ１を、第１側面部３０がＹＺ面に沿っている場合におけるＺ方向長さ（以下、単に「第１側面部３０のＺ方向長さ」と称する）Ｌ２よりも短くするとともに、第１屈曲部ｂ１及び第２屈曲部ｂ２が屈曲されていない場合における上面部１０の他端部１４Ｙから第２屈曲部ｂ２までのＸ方向長さ（以下、単に「第２上面部１４のＸ方向長さ」と称する）Ｌ３を、第２側面部４０がＹＺ面に沿っている場合におけるＺ方向長さ（以下、単に「第２側面部４０のＺ方向長さ」と称する）Ｌ４よりも短くすることが必要であると考えられる。
【００３１】
また、被梱包物１００が緩衝部材１の第３上面部１６に載置されて押しこまれた保持状態（図３（Ｂ）の状態）において、第１上面部１２と第３上面部１６とが略直交し、且つ、第１側面部３０と第１上面部１２の間の角度をΘ（シータ）としたとき、被梱包物１００が外装箱２００内においてゆりかご状に保持されるための条件は、「Ｌ２（第１側面部３０のＺ方向長さ）×ｃｏｓΘ＞Ｌ１（第１上面部１２のＸ方向長さ）」となる。また、同様に、第２上面部１４と第３上面部１６とが略直交し、且つ、第２側面部４０と第２上面部１４の間の角度をΘとしたとき、被梱包物１００が外装箱２００内においてゆりかご状に保持されるための条件は、「Ｌ４（第２側面部４０のＺ方向長さ）×ｃｏｓΘ＞Ｌ３（第２上面部１４のＸ方向長さ）」となる。
【００３２】
ところで、被梱包物１００が外装箱２００内においてゆりかご状に保持されるための基本的な条件は上記の通りであるが、保持しようとする被梱包物１００のＸ方向の幅、Ｙ方向の奥行き、Ｚ方向の高さおよび被梱包物の重さ等によって好適な条件は都度変動するものである。例えば、被梱包物１００が窓ガラス等のようにＸ方向の幅が薄い板状のものである場合には、第３上面部１６のＸ方向の長さよりも、第１上面部１２のＸ方向の長さ（Ｌ１）および第２上面部１４のＸ方向の長さ（Ｌ３）を長くすることが考えられる。このとき、Ｌ１およびＬ３の長さは、上面部１０を第１屈曲部ｂ１及び第２屈曲部ｂ２で折り曲げた際に、第３上面部１６と下面部２０とが接しない長さに設定することが必要である。これにより、薄い板状の被梱包物１００であっても、本実施形態の緩衝部材１に収めたときに好適にゆりかご状に保持できるからである。
【００３３】
図４（Ａ）は、本実施形態の緩衝部材１を、被梱包物１００の上部と下部との両方に使用する場合の分解斜視図（外装箱２００の図示は省略）であり、図４（Ｂ）は、被梱包物１００が緩衝部材１により外装箱２００内で保持された場合の斜視図である。
【００３４】
このように、本実施形態の緩衝部材１を被梱包物１００の下方のみならず上部にも使用することで、外装箱２００内における被梱包物１００の安定度が更に増すこととなる。しかも、外装箱２００の内側と被梱包物１００との間の隙間３００には、発泡スチロールや気泡緩衝材を使用する必要がないので、分別回収の手間がかからない。また、本実施形態の緩衝部材１を被梱包物１００の上部と下部との両方に使用することにより、外装箱が外部から衝撃を受けた場合であっても、当該衝撃が被梱包物１００に伝わりにくい。
【００３５】
また、本実施形態の緩衝部材１は、被梱包物１００のＹ方向側の端部１５０にも使用することにより（図示しない）、被梱包物１００を四方で固定することができる。これにより、外装箱２００が外部から衝撃を受けた場合であってもより一層これを吸収することができ、外部からの衝撃も被梱包物１００により一層伝わりにくくなる。
【００３６】
また、本実施形態の緩衝部材１は、例えばダンボールによって容易に作成することができるので、被梱包物１００の大きさや重量、使用する外装箱２００の大きさに合わせて自在に設計することができる。
【００３７】
以上は、本発明の緩衝部材１の一形態であるが、これに限定されるものではなく、本発明の精神と範囲から逸脱することのない様々な実施形態が可能である。例えば、本実施形態の緩衝部材１は、ダンボールから構成されているが、これに限定されるものではない。例えば、再生利用可能な材質で構成されるとともに第１屈曲部ｂ１及び第２屈曲部ｂ２で屈曲させることができ、且つ、第３上面部１６に被梱包物１００が載置されたときに第１側面部２０及び第２側面部３０によって被梱包物１００を挟み込むことができればよい。このような材料としては、例えば厚紙等が考えられる。
【００３８】
また、本実施形態における被梱包物１００は特に直方体のものについて記載しているが、被梱包物１００は、本実施形態の緩衝部材１により物品の両サイドを「挟み込むことができる」ものであれば、例えば太鼓状のように、物品の一部が丸みを帯びているものであっても本発明の効果を享受することができる。
【００３９】
また、本実施形態では、被梱包物１００の幅方向、奥行方向および高さ方向のうち、最も辺が短い幅方向をＸ方向としているが、これに限られない。すなわち、本実施形態では、被梱包物１００の幅方向、奥行方向及び高さ方向のうち、最も辺が短い幅方向が緩衝部材１によって挟みこまれるように、当該緩衝部材１を使用しているが、必ずしもこれに限られない。例えば、被梱包物１００の幅方向、奥行方向及び高さ方向のうち、最も辺が短い幅方向とは異なる方向が緩衝部材１によって挟みこまれるように、当該緩衝部材１を使用しても良い。
【００４０】
また、本実施形態では、緩衝部材１を予め外装箱２００内に設置した上で、この緩衝部材１の第３上面部１６に被梱包物１００が載置されるようにしたが、緩衝部材１の第３上面部１６と被梱包物１００の底面とを当接させた状態で、これを外装箱２００内に収納させるようにしてもよい。ただしこの場合、緩衝部材１の第３上面部１６と被梱包物１００の底面との当接を維持する必要がある点で手間がかかるので、作業性の観点から言えば、緩衝部材１を予め外装箱２００内に設置した上で、この緩衝部材１の第３上面部１６に被梱包物１００が載置されるようにした方が好ましい。
【００４１】
また、図４（Ａ）では、緩衝部材１のＹ方向長さと、被梱包物１００のＹ方向長さとが略同じである場合を図示しているが、これに限られない。例えば、緩衝部材のＹ方向長さが、被梱包物のＹ方向長さよりも短いものや長いものであってもよい。とくに緩衝部材のＹ方向長さが被梱包物のＹ方向長さよりも短い場合には、被梱包物のＹ方向に沿って複数個の緩衝部材を使用するとよい。
【符号の説明】
【００４２】
１  緩衝部材
１０  上面部
１２  第１上面部
１４  第２上面部
１６  第３上面部
２０  下面部
３０  第１側面部
４０  第２側面部
１００  被梱包物
１０５，１０６  被梱包物の側面部
２００  外装箱（ダンボール箱）
３００  外装箱の内側と被梱包物との間の隙間
【図１】
2013035581.tif 000003
【図２】
2013035581.tif 000004
【図３】
2013035581.tif 000005
【図４】
2013035581.tif 000006